(57)【要約】【課題】  画像処理装置で作成した画像データを、ユーザ端末上で起動しているアプリケーションで連携させて処理させるシステムを提供する。【解決手段】  画像処理装置と、前記画像処理装置とネットワークで接続されたユーザ端末とを含む画像処理システムであって、前記画像処理装置は、前記ユーザ端末で起動しているアプリケーションの情報を取得する起動アプリ識別手段と、前記ユーザ端末で起動している前記アプリケーションで画像データを処理させる情報を含むワンタッチキーを生成するワンタッチキー生成手段と、前記画像データを前記ユーザ端末に送信する送信手段とを備え、前記ユーザ端末は、前記画像処理装置から前記画像データを受信する受信手段と、前記ワンタッチキーの情報に基づいて、前記ユーザ端末上で起動している前記アプリケーションで前記画像データを処理させるワンタッチキー処理手段とを備える。【選択図】      図１
2006135877.tif 000002
【特許請求の範囲】
【請求項１】
画像処理装置と、前記画像処理装置とネットワークで接続されたユーザ端末とを含む画像処理システムであって、
前記画像処理装置は、
前記ユーザ端末で起動しているアプリケーションの情報を取得する起動アプリ識別手段と、
前記ユーザ端末で起動している前記アプリケーションで画像データを処理させる情報を含むワンタッチキーを生成するワンタッチキー生成手段と、
前記画像データを前記ユーザ端末に送信する送信手段と
を備え、
前記ユーザ端末は、
前記画像処理装置から前記画像データを受信する受信手段と、
前記ワンタッチキーの情報に基づいて、前記ユーザ端末上で起動している前記アプリケーションで前記画像データを処理させるワンタッチキー処理手段と
を備えることを特徴とする画像処理システム。
【請求項２】
ユーザ端末とネットワークで接続された画像処理装置であって、
前記ユーザ端末で起動しているアプリケーションの情報を取得する起動アプリ識別手段と、
前記ユーザ端末で起動している前記アプリケーションで画像データを処理させる情報を含むワンタッチキーを生成するワンタッチキー生成手段と
前記画像データを前記ユーザ端末に送信する送信手段と
を備えたことを特徴とする画像処理装置。
【請求項３】
ログインユーザの認証を行うユーザ認証手段と、
前記ログインユーザと同一のユーザがログインしている前記ユーザ端末を検索するユーザ端末検索手段とをさらに備えることを特徴とする請求項２に記載の画像処理装置。
【請求項４】
前記画像データを生成する画像処理手段をさらに備えることを特徴とする請求項２又は３に記載の画像処理装置。
【請求項５】
画像処理装置とネットワークで接続されたユーザ端末であって、
前記画像処理装置から、前記画像データと共に、前記ユーザ端末で起動しているアプリケーションで前記画像データを処理させる情報を含むワンタッチキーの情報を受信する受信手段と、
前記ワンタッチキーの情報に基づいて、前記ユーザ端末上で起動しているアプリケーションで前記画像データを処理させるワンタッチキー処理手段と
を備えることを特徴とするユーザ端末。
【請求項６】
ログインユーザの認証を行うユーザ認証手段をさらに備えることを特徴とする請求項５に記載のユーザ端末。
【請求項７】
ユーザ端末とネットワークで接続された画像処理装置における画像処理方法であって、
前記ユーザ端末で起動しているアプリケーションの情報を取得するステップと、
前記ユーザ端末で起動している前記アプリケーションで前記画像データを処理させる情報を含むワンタッチキーを生成するステップと、
前記画像データを前記ユーザ端末に送信するステップと、
前記ユーザ端末で前記ワンタッチキーの情報に基づいて前記アプリケーションで前記画像データを処理させるステップと
を含むことを特徴とする画像処理方法。
【請求項８】
前記画像処理装置へのログインユーザと同一のユーザがログインしているユーザ端末を検索し、特定するステップをさらに備えることを特徴とする請求項７に記載の画像処理方法。
【請求項９】
前記ユーザ端末で起動しているアプリケーションが複数存在する場合に、少なくとも一つのアプリケーションの選択を受け付けるステップをさらに備えることを特徴とする請求項７又は８に記載の画像処理方法。
【請求項１０】
請求項７から９のいずれか一項に記載の画像処理方法の各ステップをコンピュータに実行させることを特徴とする画像処理プログラム。
【請求項１１】
請求項１０に記載の画像処理プログラムを格納したことを特徴とするコンピュータ読み取り可能な記録媒体。
【請求項１２】
画像処理装置とネットワークで接続されたユーザ端末における画像処理方法であって、
前記画像処理装置から前記画像データを受信するステップと、
前記画像処理装置から、前記ユーザ端末で起動しているアプリケーションで前記画像データを処理させる情報を含むワンタッチキーの情報を受信するステップと、
前記ワンタッチキーの情報に基づいて、前記ユーザ端末上で起動しているアプリケーションで前記画像データを処理させるステップと
を含むことを特徴とする画像処理方法。
【請求項１３】
前記ユーザ端末のログインユーザ情報を取得するステップと、
前記ユーザ端末上で起動しているアプリケーションの有無及び前記アプリケーションの種別情報を取得するステップと、
前記アプリケーションの起動情報及び前記起動しているアプリケーションの種別情報を前記画像処理装置に送信するステップと
をさらに備えることを特徴とする請求項１２に記載の画像処理方法。
【請求項１４】
前記画像処理装置のログインユーザ情報を取得するステップと、
前記画像処理装置のログインユーザと前記ユーザ端末へのログインユーザとの同一性を判断するステップと
をさらに備えることを特徴とする請求項１２又は１３に記載の画像処理方法。
【請求項１５】
請求項１２から１４のいずれか一項に記載の画像処理方法の各ステップをコンピュータに実行させることを特徴とする画像処理プログラム。
【請求項１６】
請求項１５に記載の画像処理プログラムを格納したことを特徴とするコンピュータ読み取り可能な記録媒体。
【発明の詳細な説明】
【技術分野】
【０００１】
本発明は、ネットワークで接続された画像処理装置とユーザ端末とを含む画像処理システム、画像処理装置、及び画像処理プログラムに関する。
【背景技術】
【０００２】
近年、画像処理装置として、プリンタ機能以外にスキャンニングした画像データを画像ファイル等として取り込むスキャン機能等を備えた複合機（ＭＦＰ）等が用いられている。また、各画像処理装置は、１台のユーザ端末とのみ接続されるのではなく、ネットワークに接続されている。この場合、画像処理装置は、ネットワークを介して複数のユーザ端末と接続され、画像処理装置でスキャンニングして取り込んだ画像データを所望のユーザ端末に送信される。
【０００３】
例えば、特許文献１に記載の画像処理装置では、読み取った画像情報を、ＰＤＦファイル形式に変換した後、操作部において指定したパーソナルコンピュータへ送信する。画像情報を受信したパーソナルコンピュータでは、ソフトウエアであるAcrobatを自動的に起動し、ＰＤＦファイル形式による画像情報を画面表示させる。また、特許文献２に記載のスキャナ装置では、スキャンした原稿を電子メールの添付ファイルとして作成する。特許文献３に記載のファクシミリ装置では、添付ファイルを解読するためのメール本文を追加して送信する。特許文献４に記載の電子メールシステムでは、あらかじめ宛先に応じてメールタイトル、本文、コメントを保存しておき、読み取った画像データを添付ファイルとしてその宛先に送信している。特許文献５に記載のスキャンメール送信システムでは、ユーザがあらかじめメール宛先、本文、サブジェクトを作成、登録しておき、スキャン時にこれを呼び出して、イメージデータを添付ファイルとして送信する。
【０００４】
【特許文献１】特開２００３−４６７００号公報
【特許文献２】特開２００２−７７５０４号公報
【特許文献３】特開２００３−３２４２３号公報
【特許文献４】特開２００３−３２４５７４号公報
【特許文献５】特開２００４−８８６１３号公報
【発明の開示】
【発明が解決しようとする課題】
【０００５】
しかし、ユーザは、画像処理装置から自分のユーザ端末に画像データを送信した後、ユーザ端末に戻って、画像データの処理をユーザ端末側で行う必要があった。例えば、画像データを受信した後、ユーザ端末側で電子メールの本文やサブジェクトを作成し、受信した画像データを電子メールに添付して送信する必要があった。また、受信した画像データを作成しておいた文書に貼り付ける必要があった。
【０００６】
上記各特許文献の従来技術についても上記従来技術と同様の課題がある。例えば、特許文献１の画像処理装置では、ユーザ端末上で起動しているアプリケーションの情報を取得するものではなく、単に画面表示させるだけである。また、特許文献２のプッシュ型スキャナ装置では、画像データをメールの添付ファイルとして送信するだけでメールのサブジェクトや本文の設定ができない。特許文献３のファクシミリ装置では、添付ファイルを解読するための情報をメール本文としているだけであって任意に編集できない。さらに、特許文献４の電子メールシステムでは、あらかじめ登録されたものを呼び出すだけであって、随時変更できない。特許文献５のスキャンメール送信システムでは、使用にあたってあらかじめスキャンメール情報を設定しておく必要がある。しかも、使用前にあらかじめ作成したものを呼び出すだけであって、随時変更できない。
【０００７】
上述のように、ユーザは、画像処理装置で作成した画像データを自分のユーザ端末に送信した後、ユーザ端末に戻ってアプリケーションによって、受信した画像データを処理する必要があった。
【０００８】
本発明の目的は、画像処理装置で作成した画像データを、ユーザ端末上で起動しているアプリケーションで連携させて処理させるシステムを提供する。
【課題を解決するための手段】
【０００９】
本発明に係る画像処理システムは、画像処理装置と、前記画像処理装置とネットワークで接続されたユーザ端末とを含む画像処理システムであって、
前記画像処理装置は、
前記ユーザ端末で起動しているアプリケーションの情報を取得する起動アプリ識別手段と、
前記ユーザ端末で起動している前記アプリケーションで画像データを処理させる情報を含むワンタッチキーを生成するワンタッチキー生成手段と、
前記画像データを前記ユーザ端末に送信する送信手段と
を備え、
前記ユーザ端末は、
前記画像処理装置から前記画像データを受信する受信手段と、
前記ワンタッチキーの情報に基づいて、前記ユーザ端末上で起動している前記アプリケーションで前記画像データを処理させるワンタッチキー処理手段と
を備えることを特徴とする。
【発明の効果】
【００１０】
本発明に係る画像処理システムによれば、画像処理装置で作成した画像データをユーザ端末上で起動しているアプリケーションで処理させる情報を含むワンタッチキーを作成し、該ワンタッチキーの情報に基づいて、ユーザ端末で起動しているアプリケーションで画像データを処理させることができる。これによって、ユーザは、ユーザ端末に戻ることなく画像処理装置の側で、ユーザ端末で起動しているアプリケーションで画像データを連携して処理できる。
【発明を実施するための最良の形態】
【００１１】
本発明の実施の形態に係る画像処理システム、画像処理装置、及び画像処理プログラムについて添付図面を用いて説明する。なお、図面において実質的に同一の部材には同一の符号を付している。
【００１２】
実施の形態１
図１は、本発明の実施の形態１に係る画像処理装置を含む画像処理システムの構成を示す概略図である。この画像処理システム１００は、インタネット等の広域ネットワーク７０に接続された３つのサイトＡ、Ｂ、Ｃを含む。サイトＡのＬＡＮ２１には、ファイア・ウォール２３、ルータ２２、画像処理装置２０、及びメール・サーバ２４が接続されている。サイトＢのＬＡＮ４１には、ファイア・ウォール４３、ルータ４２、ユーザ端末５０、及びメール・サーバ４４が接続されている。サイトＣのＬＡＮ６１には、ファイア・ウォール６３、ルータ６２、メール送信宛先のクライアント端末６０、及びメール・サーバ６４が接続されている。ファイア・ウォールは、ＳＭＴＰ（Simple Mail Transfer Protocol）に関するパケット、すなわち電子メールの通過を許可するように設定されている。各サイトのＬＡＮ２１、４１、６１に接続されている機器は、同じＬＡＮに接続されているメール・サーバ２４、４４、６４を介して電子メールを送受信する。なお、画像データを電子メールに添付する場合は、ＲＦＣ２３０１〜ＲＦＣ２３０６及びＩＴＵ−Ｔ勧告Ｔ．３７に準拠する。メール・サーバ２４、４４、６４は、ＳＭＴＰ拡張機能（ＲＦＣ１８９１：STMP Service Extension for Delivery Status Notifications）、拡張状態コード（ＲＦＣ１８９３：Enhanced Mail System Status Codes）、ＭＩＭＥメディアタイプ（ＲＦＣ１８９２：The Multipart/Report Content Type for the Reporting of Mail System Administrative Messages,ＲＦＣ１８９４：An Extensive Message Format for Delivery Status Notifications）をサポートしている。
【００１３】
図２は、図１の画像処理システムのうち、画像処理装置２０とユーザ端末５０の構成を示すブロック図である。図２では、画像処理装置２０、ユーザ端末５０、メール宛先クライアント６０に加えてＬＤＡＰサーバ８０も含む。この画像処理装置２０は、ＣＰＵ１、ＲＡＭ２、ＲＯＭ３、ユーザ認証部４、起動アプリ識別部５、プリント部６、ユーザ端末検索部７、スキャナ部８、画像記憶部９、画像処理部１０、操作パネル部１１、メール作成部１２、通信部１３、ワンタッチキー生成部１４を備える。通信部１３によってネットワークに接続されている。なお、図２では、互いの間に存在する複数のネットワークを簡略化して示している。この画像処理装置２０では、図７に示すように、ユーザ端末で起動されているアプリケーションで画像処理装置２０から送信する画像データを処理するように指示するワンタッチキーを作成する。ワンタッチキーの情報に基づいて、ユーザ端末５０で起動させたワンタッチキー処理ソフトウエアによって、画像処理装置２０から送信された画像データをユーザ端末５０上で起動しているアプリケーションで処理することができる。これによって、ユーザは、ユーザ端末５０まで戻ることなく、画像処理装置２０の操作パネル１１に表示されたワンタッチキーによってユーザ端末５０上の起動アプリケーションによる連携した処理を行うことができる。
【００１４】
ユーザ端末５０は、ＣＰＵ３１、ＲＡＭ３２、ＲＯＭ３３、ログインの際にユーザ認証を行うユーザ認証部３４、操作部３５、アプリケーションプログラム起動部３６、アプリケーションプログラム格納部３７、通信部４０を備える。また、アプリケーションプログラム格納部３７には、例えば、電子メール・アプリケーション３８、文書作成アプリケーション３９が格納されている。
【００１５】
また、ＬＤＡＰサーバ８０は、画像処理装置２０からの問い合わせに対してユーザ端末５０を特定するためのユーザ端末情報を画像処理装置２０に通知する。
【００１６】
図３は、本発明の実施の形態１に係る画像処理システムのタイムチャートである。図４は、本発明の実施の形態１に係る画像処理装置における画像処理方法のフローチャートである。この画像処理システムでは、図３に示すように、まず、ユーザはユーザ端末５０にユーザ認証部３４による認証を受けてログインし、アプリケーション（以下、短縮して「アプリ」と称する場合がある。）を起動し、そのアプリケーションについて諸条件を設定しておく。
【００１７】
その後、ユーザは、ユーザ端末５０の側から画像処理装置２０の側に移動して、画像処理装置２０を直接操作する。まず、ユーザはユーザ認証部４による認証を受けて画像処理装置２０にログインする。これ以降の画像処理装置２０における画像処理方法について、図４を用いて説明する。
（ａ）画像処理装置２０で、図６に示すようなログイン画面を表示してユーザによるログインを受け付ける（Ｓ０１）。
（ｂ）画像処理装置２０へのログインユーザ情報を取得する（Ｓ０２）。
（ｃ）ユーザ端末検索部７で画像処理装置２０へのログインユーザと同一のユーザがログインしているユーザ端末を検索する（Ｓ０３）。このステップＳ０３の詳細な説明は、図５のフローチャートについて後述する。
（ｄ）画像処理装置２０へのログインユーザと同一のユーザがログインしているユーザ端末５０が有るか否か判断する（Ｓ０４）。
（ｅ）特定したユーザ端末５０に問い合わせを行う（Ｓ０５）。
（ｆ）ユーザ端末５０上でアプリケーションが起動しているか否か判断する（Ｓ０６）。具体的には、起動アプリ識別部５でユーザ端末５０から起動アプリ情報を取得する。
（ｇ）起動アプリ識別部５によって、ユーザ端末５０上で起動しているアプリケーションの情報を取得する（Ｓ０７）。
（ｈ）ユーザによるアプリケーションの選択を受け付ける（Ｓ０８）。
ｉ）電子メール・アプリケーション３８を選択した場合（Ｓ０９）には、図７に示すように、ワンタッチキー生成部１４で、ユーザ端末５０の電子メール・アプリケーション３８で画像データを添付した電子メールを送信するワンタッチキー２６を生成し、表示する（Ｓ１０）。
ｉｉ）文書作成アプリケーション３９を選択した場合（Ｓ１１）には、図７に示すように、ワンタッチキー生成部１４で、ユーザ端末５０の文書作成アプリケーション３９で画像データを含む文書を作成するワンタッチキー２８を作成し、表示する（Ｓ１２）。
なお、ワンタッチキーを作成、表示できない場合には、例えば、図８に示すような画面表示を行う。
（ｋ）スキャンニングをスタートするか確認する（Ｓ１３）。
（ｌ）スキャナ部８によるスキャンニングによって画像データを作成する（Ｓ１４）。
（ｍ）ワンタッチキーにしたがって、選択したアプリケーションで処理するように画像データをユーザ端末５０に送信する（Ｓ１５）。
以上によって、画像処理装置２０で作成した画像データを、ユーザ端末５０上で起動しているアプリケーションで処理できる。
【００１８】
図５は、図４のユーザ端末検索部７におけるユーザ端末検索のステップＳ０３を詳細に説明するフローチャートである。
（ａ）画像処理装置２０へのログインユーザの情報を送信して、同一のユーザがログインしているユーザ端末５０の情報をＬＤＡＰサーバ８０に問い合わせる（Ｓ２１）。
（ｂ）ＬＤＡＰサーバ８０から返信があったか否か判断する（Ｓ２２）。返信があればステップＳ２３に移行し、返信がなければステップＳ２２を繰り返す。
（ｃ）受信したユーザ端末５０の情報に基づいて、ユーザ端末５０を検索し、特定する（Ｓ２３）。
以上によって、画像処理装置２０にログインしたログインユーザと同一のユーザがログインしたユーザ端末５０を特定できる。
【００１９】
以上によって、画像処理装置２０の側で、画像処理装置２０上で生成したワンタッチキーの情報にしたがって、作成した画像データを、ユーザ端末５０上での起動アプリケーションで連携して処理させることができる。なお、この画像処理装置２０の側で実行する画像処理方法は、画像処理プログラムとして実行させてもよい。また、この画像処理装置２０の側での上記画像処理プログラムをコンピュータ読み取り可能な記録媒体に格納しておいてもよい。これによって、コンピュータにおいて所望の時に記録媒体から上記画像処理プログラムを読み込んで実行させることでネットワーク接続された画像処理装置としての上記機能を実現できる。
【００２０】
図９は、ユーザ端末５０の側で、画像処理装置２０で生成したワンタッチキーの情報にしたがって、選択したアプリケーションで画像処理装置２０から受信した画像データを処理する画像処理方法のフローチャートである。
（ａ）ユーザ端末５０へのログインの有無を確認する（Ｓ３１）。ログインされていなければ同じステップＳ３１を繰り返す。
（ｂ）ユーザ端末５０へのログインユーザ情報を取得する（Ｓ３２）。複数ユーザが端末５０を利用する場合には、ログインユーザ情報によってユーザが特定される。
（ｃ）ユーザ端末５０上で起動しているアプリケーションの有無を取得する（Ｓ３３）。
（ｄ）ユーザ端末５０上で起動しているアプリケーションの種別情報を取得する（Ｓ３４）。
（ｅ）画像処理装置２０から問合せの有無を確認する（Ｓ３５）。問い合わせがなければ、ステップＳ３１に戻る。
（ｆ）画像処理装置２０のログインユーザ情報を取得する（Ｓ３６）。
（ｇ）画像処理装置２０のログインユーザと、ユーザ端末５０のアプリ起動ユーザ、すなわちユーザ端末５０のログインユーザとが同一か否かを判断する（Ｓ３７）。ユーザ同一の判断は、それぞれのログインユーザ情報を比較して一致した場合にはユーザ同一と判断し、ステップＳ３８に移行し、相違する場合にはユーザが異なるものと判断し、終了するする（エンド）。
（ｈ）アプリケーションの起動情報、及び、起動しているアプリケーションの種別情報を画像処理装置２０に送信する（Ｓ３８）。
（ｉ）画像処理装置２０から、生成したワンタッチキーの情報を受信する（Ｓ３９）。
（ｊ）画像処理装置２０から通信部４０を介して画像データを受信する（Ｓ４０）。
（ｋ）ワンタッチキーの情報にしたがって、受信した画像データを選択したアプリケーションで処理させる（Ｓ４１）。このように、常駐プログラムで他のアプリケーションを操作して画像データを処理させる方法は、例えば、特開２００４−１１０８４２号公報に記載の方法によって実現できる。
【００２１】
例えば、電子メール・アプリケーションを選択した場合には、図１０及び図１１に示すように、ユーザ端末５０の電子メール・アプリケーション３８で画像データを添付した電子メールを送信する。図１０は、ユーザ端末５０上で作成した電子メールの一例である。図１１は、画像処理装置２０で作成したワンタッチキーの情報に基づいて、ユーザ端末５０上でのワンタッチキー処理を行うプログラム（ユーザ端末５０側の画像処理プログラム）によって画像処理装置２０から送信された画像データを添付した電子メールの一例である。画像処理装置２０から送信された画像データが電子メールに自動で添付された後、該電子メールは自動で宛先に送信してもよいし、ユーザの送信指示に基づいて送信してもよい。なお、ここでは、あらかじめユーザ端末５０側で電子メールの宛先、サブジェクト及び本文をあらかじめ作成しておいた例を示したが、これに限られず、画像処理装置２０上からユーザ端末５０で起動している電子メール・アプリケーション３８を遠隔的に操作して電子メールの宛先、サブジェクト、本文を作成、又は、追加してもよい。
【００２２】
一方、文書作成アプリケーション３９を選択した場合には、ユーザ端末５０の文書作成アプリケーション３９で画像データを含む文書を作成する。この場合、ユーザ端末５０上であらかじめ文書のフォーマット（例えば、枠、書式、サイズ、段落、レイアウト等）等を作成しておき、画像データを含む文書を作成してもよい。あるいは、画像処理装置２０上からユーザ端末５０上で起動している文書作成アプリケーション３９を遠隔的に操作して文書のフォーマット等を設定し、文書を作成してもよい。さらに、画像データを、例えばＯＣＲ等で文字認識させて文書として取り込んでもよい。
【００２３】
以上によって、ユーザ端末５０側で、画像処理装置２０上で生成したワンタッチキーの情報にしたがって、画像処理装置２０から受信した画像データを、ユーザ端末５０上で起動しているアプリケーションから選択したアプリケーションで連携して処理させることができる。なお、このユーザ端末５０側で実行する画像処理方法は、ユーザ端末５０上で画像処理プログラムを常駐プログラムとして実行させておくことが好ましい。しかし、上記の常駐プログラムの例に限られず、必要に応じて画像処理装置２０からユーザ端末５０上に画像処理プログラムを起動させてもよい。また、ユーザ端末上での上記画像処理プログラムをコンピュータ読み取り可能な記録媒体に格納しておいてもよい。これによって、コンピュータにおいて所望の時に記録媒体から上記画像処理プログラムを読み込んで実行させることでネットワーク接続されたユーザ端末５０としての上記機能を実現できる。
【産業上の利用可能性】
【００２４】
本発明は、画像処理装置とユーザ端末とがネットワークで接続された画像処理システム、画像処理装置、及び画像処理プログラムに用いることができる。
【図面の簡単な説明】
【００２５】
【図１】本発明の実施の形態１に係る画像処理システムの構成を示す概略図である。
【図２】図１の画像処理装置及びユーザ端末の構成を示すブロック図である。
【図３】本発明の実施の形態１に係る画像処理システムのタイミングチャートである。
【図４】本発明の実施の形態１に係る画像処理装置における画像処理方法のフローチャートである。
【図５】図４のステップＳ０３の詳細を示すフローチャートである。
【図６】画像処理装置におけるログイン画面である。
【図７】画像処理装置でワンタッチキーを表示した画面である。
【図８】画像処理装置における通常の表示画面である。
【図９】ユーザ端末における常駐アプリケーションによってワンタッチキー機能を実行させる方法のフローチャートである。
【図１０】ユーザ端末上での作成メールの一例である。
【図１１】ユーザ端末上での作成メールに画像処理装置から受信した画像データを添付した一例である。
【符号の説明】
【００２６】
１  ＣＰＵ、２  ＲＡＭ、３  ＲＯＭ、４  ユーザ認証部、５  起動アプリ識別部、６  プリント部、７  ユーザ端末検索部、８  スキャナ部、９  画像記憶部、１０  画像処理部、１１  操作パネル部、１２  メール作成部、１３  通信部、１４  ワンタッチキー生成部、２０  画像処理装置、２１、４１、６１  ＬＡＮ、２２、４２、６２  ルータ、２３、４３、６３  ファイア・ウォール、２４、４４、６４  メール・サーバ、２６、２８  ワンタッチキー、３１  ＣＰＵ、３２  ＲＡＭ、３３  ＲＯＭ、３４  ユーザ認証部、３５  操作部、３６  アプリケーションプログラム起動部、３７  アプリケーションプログラム格納部、３８  メールアプリ、３９  文書作成アプリ、４０  通信部、５０  ユーザ端末、６０  メール宛先クライアント端末、８０  ＬＤＡＰ、１００  画像処理システム
【図１】
2006135877.tif 000003
【図２】
2006135877.tif 000004
【図３】
2006135877.tif 000005
【図４】
2006135877.tif 000006
【図５】
2006135877.tif 000007
【図６】
2006135877.tif 000008
【図７】
2006135877.tif 000009
【図８】
2006135877.tif 000010
【図９】
2006135877.tif 000011
【図１０】
2006135877.tif 000012
【図１１】
2006135877.tif 000013